(57)【要約】【課題】主たる目的は、画像形成時やウォーミングアップ時に定着装置に素早く大きな電力を振り分けることのできる画像形成装置を提供することにある。【解決手段】原稿から読みとられた画像データに基づくトナー像を用紙に画像形成する画像形成部と、トナー像を加熱融着する定着装置と、画像形成部の周囲に１以上のファンと、該ファンの動作状態を認識する認識手段とを備え、該認識手段により、ファンの動作状態に応じて定着装置への供給電力を変更することを特徴とする画像形成装置。【選択図】        図４
2005031410.tif 000002
【特許請求の範囲】
【請求項１】
原稿から読みとられた画像データに基づくトナー像を用紙に画像形成する画像形成部と、
トナー像を加熱融着する定着装置と、
画像形成部の周囲に１以上のファンと、
該ファンの動作状態を認識する認識手段とを備え、
該認識手段により、ファンの動作状態に応じて定着装置への供給電力を変更することを特徴とする画像形成装置。
【請求項２】
前記定着装置は、誘導電流により発熱する円筒状の加熱部材と、該加熱部材に圧接される加圧部材と、前記加熱部材と対向する位置に該加熱部材に供給する磁束を発生させる誘導コイルとを有する誘導加熱定着装置で、該誘導コイルに電流を供給する高周波電源の電力を、前記ファンの動作状態に応じて切り換えることを特徴とする請求項１に記載の画像形成装置。
【請求項３】
前記定着装置は、共に回転可能な加熱部材と加圧部材とを有し、両部材に対して定着ベルトが掛け回され、該加圧部材に対して定着ベルトを介して対向するもう一つの加圧部材で加圧してニップを形成し、用紙を把持搬送して、用紙上のトナー像を該ニップで加熱定着する定着装置で、前記加熱部材は誘導電流により発熱し、対向する位置に該加熱部材に供給する磁束を発生させる誘導コイルを有する誘導加熱定着装置で、該誘導コイルに電流を供給する高周波電源の電力を、前記ファンの動作状態に応じて切り換えることを特徴とする請求項１に記載の画像形成装置。
【請求項４】
加熱部材の温度を検知する温度検知手段を有することを特徴とする請求項１乃至請求項３の何れか１項に記載の画像形成装置。
【発明の詳細な説明】
【０００１】
【発明の属する技術分野】
本発明は、電子写真複写機、プリンタ、ファクシミリ、及びこれらの諸機能を有する複合機等の画像形成装置に関し、特に該装置に備えられている定着装置に対する供給電力の制御に係わる。
【０００２】
【従来の技術】
加熱ローラ型の定着装置により加圧・加熱されて、トナー像が形成（記録）されて本体から排出される用紙（転写材とも言う）に対して、折り処理等の後処理後、該用紙を昇降排紙台等に積載する用紙後処理装置を有する画像形成装置が提供されている。
【０００３】
この様な装置では、近年のプリントの高速化に伴い、画像形成装置内の各部の動作に必要な電力が増加して来るため、定着装置へ振り分けられる商用電源（１００Ｖ−１５Ａ／１コンセント回路）からの供給電力が制限される様になった。
【０００４】
又、自動原稿読取装置や、折り手段および穿孔手段等を有するの用紙後処理装置（フィニッシャー）等のオプション機器の接続数が増加するにつれて、定着装置に振り分けられる供給電力は更に制限されようになる。
【０００５】
従って、定着装置でのトナー像の用紙への定着性能を維持向上させるためには、定着動作中の加熱定着ローラのヒータへ振り分ける電力を出来るだけ大きく、しかも有効に供給することが必要となる。
【０００６】
特許文献１に開示の画像形成装置は、トナー像を担持した用紙を加圧及び加熱定着するための加圧ローラ（加圧部材）と加熱定着ローラ（加熱部材）と加熱定着ローラの内側に該加熱定着ローラを加熱するための加熱手段（抵抗型ヒータ）と加熱定着ローラの表面温度を検知する温度検知手段とを有する定着手段と、該ヒータに対して通電または遮断のいずれかに切り換え可能な調整手段（供給電圧を調整する）と、温度検知手段の検知情報に基づいて該調整手段を制御する制御手段と、該装置本体内の各部及び定着装置の上方向に接続される自動原稿搬送装置や用紙後処理装置内に配設される用紙の折り手段等のオプション機器の各部の動作状態および電力の使用状態を認識する認識手段とを有し、前記調整手段は、前記加熱手段に対する供給電圧を複数水準に切り換え選択が可能で、該動作状態或いは電力の使用状態を認識する前記認識手段の情報により、所定の供給電圧を選択できる構成とし、画像形成装置やオプション機器の動作状態に応じてヒータの電力を切り換え、定着性能の維持を図っている。
【０００７】
【特許文献１】
特開２００２−３５１２５５号公報（図１参照）
【０００８】
【発明が解決しようとする課題】
しかしながら、この従来の方法では、近時の厳しい競争に伴う画像形成装置でのプリントの高速化やオプション機器の増加に伴い、定着装置に振り分ける電力を大きく、しかも素早く対応するには不適切であり、新たな対応手段が必要となっている。
【０００９】
本発明は、上記の事情に鑑みてなされたもので、その主たる目的は、画像形成時やウォーミングアップ時に定着装置に素早く大きな電力を振り分けることのできる画像形成装置を提供することにある。
【００１０】
【課題を解決するための手段】
上記課題は、本発明の以下に示す構成により達成することができる。
【００１１】
（１）原稿から読みとられた画像データに基づくトナー像を用紙に画像形成する画像形成部と、トナー像を加熱融着する定着装置と、画像形成部の周囲に１以上のファンと、該ファンの動作状態を認識する認識手段とを備え、該認識手段により、ファンの動作状態に応じて定着装置への供給電力を変更することを特徴とする画像形成装置。
【００１２】
（２）前記定着装置は、誘導電流により発熱する円筒状の加熱部材と、該加熱部材に圧接される加圧部材と、前記加熱部材と対向する位置に該加熱部材に供給する磁束を発生させる誘導コイルとを有する誘導加熱定着装置で、該誘導コイルに電流を供給する高周波電源の電力を、前記ファンの動作状態に応じて切り換えることを特徴とする（１）に記載の画像形成装置。
【００１３】
（３）前記定着装置は、共に回転可能な加熱部材と加圧部材とを有し、両部材に対して定着ベルトが掛け回され、該加圧部材に対して定着ベルトを介して対向するもう一つの加圧部材で加圧してニップを形成し、用紙を把持搬送して、用紙上のトナー像を該ニップで加熱定着する定着装置で、前記加熱部材は誘導電流により発熱し、対向する位置に該加熱部材に供給する磁束を発生させる誘導コイルを有する誘導加熱定着装置で、該誘導コイルに電流を供給する高周波電源の電力を、前記ファンの動作状態に応じて切り換えることを特徴とする（１）に記載の画像形成装置。
（４）加熱部材の温度を検知する温度検知手段を有することを特徴とする（１）乃至（３）の何れか１項に記載の画像形成装置。
【００１４】
即ち本発明者は、画像形成装置内の各部位に温度上昇防止等のために配設してある多数のファンの動作状態に応じて生み出した電力を定着装置へ大きく、しかも素早く振り分けようと考え、本発明に到った。
【００１５】
【発明の実施の形態】
次に、本発明の画像形成装置を図面に基づいて説明する。
【００１６】
図１は、用紙後処理装置を有する画像形成装置の全体構成図である。
画像形成装置本体Ａは、回転する静電潜像担持体（以下、感光体ドラムと言う）１の周囲に、帯電手段２、像露光手段（画像書込部とも言う）３、現像手段４、転写手段５Ａ、除電手段５Ｂ、及びクリーニング手段６を配置した画像形成部ＧＫを有し、画像形成部ＧＫは、帯電手段２によって感光体ドラム１の表面に一様帯電を行った後に、画像書込部３のレーザビームによってコピー用原稿Ｇｅから読み取られた画像データに基づく露光走査を行って潜像を形成し、該潜像を現像手段４により反転現像して感光体ドラム１の表面にトナー像を形成する。
【００１７】
該画像形成部ＧＫを構成する各手段、搬送反転手段７Ｅ等には温度を検知する不図示の温度検知手段が埋め込まれている。
【００１８】
一方、画像形成装置本体Ａの中段に配置された給紙カセット７Ａから給紙された画像記録用紙（以下、用紙と言う）Ｓは、搬送ローラ８Ａ，８Ｂ、レジストローラ８Ｃ、搬送ローラ８Ｄを経由して転写位置へ送られ、転写位置において転写手段５Ａによりトナー像が用紙Ｓ上に転写される。
【００１９】
その後、用紙Ｓは除電手段５Ｂにより裏面の電荷が消去され、分離爪５Ｃにより感光体ドラム１から分離され、用紙搬送部７Ｂにより搬送され、引き続き定着手段（定着装置とも言う）８によりトナー像が加圧・加熱定着される。
【００２０】
定着装置８を通過した用紙Ｓは、排紙ローラ７Ｃにより排出されて後、後処理がなされる。
【００２１】
尚、用紙Ｓの片面に画像形成を行う場合には、用紙搬送手段の一つである搬送路切り替え板７Ｄが点線表示状態の位置に切り替えられている。
【００２２】
また、画像形成後の感光体ドラム１の表面は、クリーニング手段６により表面に残留している現像剤、即ちトナーが分離爪５Ｃより除去され、次の画像形成に備える。
【００２３】
一方、用紙Ｓの両面、即ち裏面に画像形成を行う場合には、搬送路切り替え板７Ｄを実線表示の位置に切り替えることにより、定着装置８により加圧・加熱定着された用紙Ｓは下方に搬送され、反転搬送手段７Ｅにおいてスイッチバックされて表裏反転された後、用紙Ｓの後端側を先頭にして、搬送ローラ８Ａ，８Ｂ、レジストローラ８Ｃ、搬送ローラ８Ｄを搬送され、再度、転写位置において新たなトナー像が裏面に転写される。
【００２４】
更に、穿孔処理、折り処理、及び綴じ合わせ処理等を行うには、搬送路切り替え板７Ｄ実線表示状態の位置に切り替えることにより、定着装置８により加圧・加熱定着された用紙Ｓは下方に搬送され、反転搬送手段７Ｅにおいてスイッチバックして表裏反転された用紙Ｓは、用紙後端を先頭にして上昇し、排紙ローラ７Ｃにより排出される。
【００２５】
何れの場合も、排紙ローラ７Ｃから排出される用紙Ｓは用紙後処理装置ＦＳに送り込まれる。
【００２６】
尚、画像形成装置本体Ａの上部全面側には、画像形成モード等を選択して設定できる操作部９が、また該装置本体Ａ上部左側後方には図示しない電源スイッチＤＳが配置されており、画像形成装置本体Ａの上部には、原稿移動型読み取り方式の自動原稿搬送装置Ｇを備えた画像読取装置Ｂが設置されている。Ｐｕはプラテンガラスで、原稿Ｇｅを１枚ずつコピーする場合の原稿読み取り部位である。
【００２７】
該画像読取装置Ｂの不図示の撮像素子ＣＣＤに読み取られた原稿Ｇｅの画像信号は各種の処理がなされ、画像データとして後記のＲＡＭ１２０にストアされると共にコピー枚数やファンの動作状態のデータ等もストアされる。
【００２８】
画像形成装置本体Ａの下流側には用紙後処理装置ＦＳが接続されている。
図の上段に第一給紙手段２０Ａ（インターシート供給）、第２給紙手段２０Ｂ（用紙束の表紙となる表紙用紙供給）、固定排紙台３０とが配置され、中段に穿孔手段４０、シフト手段５０、排紙手段６０がほぼ水平をなす同一平面上に直列配置され、下段に綴じ手段７０、折り手段８０が傾斜面をなす同一平面上に直列配置されている。
【００２９】
図の左方向には、シフト処理済みの用紙、及び綴じ処理済みの用紙束を積載する昇降排紙台９１と三つ折り若しくは二つ折り処理された用紙束Ｔを積載する固定排紙台９２とが配置されている。
【００３０】
該昇降排紙台９１に多数枚の用紙Ｓを積載するときには、昇降排紙台９１が順次下降するように構成されている。
【００３１】
本発明に係わる、定着装置８への供給電力を変更できる制御手段の制御については、図３以降で説明する。
【００３２】
図２は、画像形成部の周囲に配置したファンの位置を模式的に示す図である。図２（ａ）は画像形成装置の正面から見た図で、図２（ｂ）は画像形成装置本体Ａのみを上方向から見た図で、図２（ｃ）は自動原稿搬送装置Ｇの上方から見た図である。
【００３３】
（１）参照符号ＦＭ１で示す光学ファンは、画像読取装置Ｂ機外からの外気を呼び込んで、原稿Ｇｅを読むための光照射するランプＬからの発生熱を含んだ内気を冷却し、温度上昇を防止するために排気すると共に光照射による光を反射させるミラーユニットＭ等の反射面に塵埃が入り込み付着するのを防止する機能を有する。
【００３４】
該画像読取装置Ｂの内側に設けた不図示の防塵フィルターを介して外気を引込んで巡回させる構成である。
【００３５】
（２）ＦＭ２はポリゴンファンである。ポリゴンモータや不図示のその制御部品からの発生熱を含んだ内気を冷却し機外へ排気する機能をする。
【００３６】
画像書込部３内部にはポリゴンミラー３１、ポリゴンモータ３２、ｆθレンズ３３、及びシリンドリカルレンズ３４等が配設されている。該ポリゴンミラー３１はポリゴンモータ３２の上側にて水平回転できるように、該ポリゴンモータ３２の出力軸に組み付けられている。
【００３７】
不図示のレーザ光源からの光ビームを走査すために高速回転するポリゴンミラー３１は、例えば５×１０４ｒｐｍをＤＣブラシレスモータで出力している。
【００３８】
このための発生熱は大きく、初期的に、この熱を冷却しないとポリゴンモータ３１自身を壊してしまい兼ねないし、また近傍に配設されている樹脂性のレンズであるｆθレンズ３３等を変形して画像データを歪めたりする。
【００３９】
更に、近傍に配設される、例えばＩＣ１８８，Ｔｒ等の半導体で構成される制御部品からの発生熱が貯まり周囲温度が高くなると制御に支障を来すようにもなる。このため該ファンＦＭ２により外気を導入し内気を機外に排気し、機内温度上昇を防止する機能をなしている。
【００４０】
（３）ＦＭ３は用紙サクションファンである。搬送ベルト７１の内側から吸気することにより、用紙Ｓを搬送ベルト７１表面に吸着させる機能をする。
【００４１】
感光体ドラム１から分離された用紙Ｓは高温度になっていて、該ドラム１からの分離時、搬送方向沿いに、下に凸のカールが生じ易い。従って、用紙搬送手段７Ｂを構成する搬送ベルト７１に用紙Ｓが受け渡される際、吸着されにくい故、用紙サクションファンＦＭ３の吸引力により搬送ベルト７１に吸着（密着）させ、用紙の平面性を保持しながら定着装置８へ搬送する機能をする。
【００４２】
（４）ＦＭ４，ＦＭ５は排紙ファンである。用紙Ｓを冷却してカールを防止し搬送性を良好にする機能をする。
【００４３】
排紙ファンＦＭ４，ＦＭ５は、排紙ローラ７Ｃ近傍の不図示のデカーラ部（例えば、デカーラベルト）に配設されていて、定着装置８を通過して高温度になっている用紙Ｓに対て該排紙ファンＦＭ４，ＦＭ５により機外からの外気を導入して冷却し、平面性を確保するようにして用紙Ｓを排紙できるように機能をする。
【００４４】
（５）ＦＭ６は本体ファンである。
搬送ローラ８Ａ，８Ｂ，８Ｄ、用紙搬送部７Ｂ、クリーニング手段６等を駆動する不図示のメインモータの回転駆動に伴う装置本体Ａの内部に生ずる発生熱を機外に排気して冷却する機能をする。
【００４５】
（６）ＦＭ７はトナー粉サクションファンである。
現像器（現像手段）４内からのトナーを供給し、感光体ドラム１表面にトナー像を形成するとき、感光体ドラム１周辺に飛散するトナー粉煙を吸引し、除塵フィルター付きの該ファンＦＭ７を通して内気を機外へ排気する機能をする。
【００４６】
（７）ＦＭ８は画像処理ファンである。
該ファンＦＭ８は、画像形成する際に生ずるオゾンガスによる人体への弊害を防止するため、オゾンガスを吸収できるオゾンフィルタ付きファンであって内気を機外に排気する機能をする。
【００４７】
（８）ＦＭ９は電源ファンである。
図示しない制御基盤上のＲＯＭ、ＲＡＭ等を含む半導体制御部品からの発生熱を冷却して、温度ドリフトが生じないようにするために機外から取り入れた外気により冷却する機能をする。
【００４８】
（９）ＦＭ１０はＡＤＦ（Ａｕｔ  Ｄｏｃｕｍｅｎｎｔ  Ｆｅｅｄｅｒ）ファンである。冷却機能を有するファンである。
【００４９】
自動原稿搬送装置Ｇ内部の発生熱を除去し、用紙Ｓのカールを防止したり不図示の制御部品の温度上昇を防止する機能をする。
【００５０】
（１０）ＦＭ１１はクリーナファンである。
該ファンＦＭ１１はクリーニング装置（手段）６を冷却する機能を有する。
【００５１】
用紙Ｓを感光体ドラム１から分離する除電手段５Ｂを経た後、感光体ドラム１上に残留したトナーは、分離爪５Ｃで削り落とされる。このトナーは樹脂材から成るため、温度が上昇すると凝集、融着をしてしまい易い。
【００５２】
融着等をしてしまうとトナーのリサイクルが不可能になるので、該ファンＦＭ１１で取り入れた外気で残留トナーを融着等の生じないように冷却する。
【００５３】
（１１）ＦＭ１２は現像部ファンである。現像手段４周辺の冷却機能を有し、温度上昇によるトナーの凝集、融着を予防しトナーの供給を安定化するものである。
【００５４】
上記ファンを機能別に分けると、ＦＭ１，ＦＭ２，ＦＭ４，ＦＭ５，ＦＭ６，ＦＭ９，ＦＭ１１，ＦＭ１２の８ヶは冷却手段として配設されており、ＦＭ７，ＦＭ８の２ヶはガスや粉塵の除去手段としてのファンで、ＦＭ３は用紙搬送手段として配設されているファンである。配設個数は、画像形成装置の機種により相違があり、また配設位置も異なるし空気（内気）の巡回路も異なる。
【００５５】
図３は、誘導コイルを有する誘導加熱定着装置の構成を模式的に示す図である。図３（ａ）は加熱ローラ型の実施例の図で、図３（ｂ）はベルト型の実施例の図であり、図３（ｃ）はベルト型のもう一つの実施例の図である。
【００５６】
以下の説明で加熱部材は加熱手段と、加圧部材は加圧手段と同意である。
図３（ａ）に示す様に、加熱ローラ型の誘導加熱定着装置８０の構成は、誘導電流により発熱する円筒状の加熱部材である加熱ローラ８１と、加熱ローラ８１に圧接される加圧部材である加圧ローラ８４と、加熱ローラ８１の内側に該加熱ローラ８１に供給する磁束を発生させる誘導コイル８３と、誘導コイル８３を支持する支持部材８２とからなる。
【００５７】
加熱ローラ８１と加圧ローラ８４とは、両ローラの長手方向の両端を挟んで、且つ線軸に対して垂直な不図示の２枚のフレームで回転可能に支持されていて、支持部材８２は固定されている構成である。加熱ローラ８１表面には表面温度を検知する温度検知手段８６が配設されている。
【００５８】
実施の形態において、加熱ローラ８１は、炭素鋼、ステンレス鋼、ニッケル合金等の強磁性体からなり、例えば、外径４０ｍｍ，内径３８．６ｍｍの薄肉の中空円筒形状である。加熱ローラ８１には、必要に応じて、外周面にシリコンゴムなどの弾性層やフッ素樹脂などの離型層が形成される。
【００５９】
前記誘導コイル８３の両端には不図示のリード線が接続されていて、該リード線を介して誘導コイル８３に高周波電源（後記する）からの高周波電流を供給することにより電力を切り換えて、誘導コイル８３の磁界を作り、加熱ローラ８１の外周表面層に渦電流を生じさせ、ジュール熱により発熱させる故、従来のハロゲンランプからなる抵抗型ヒータに比べ、素早く、有効に、しかも微少な変化に対応して加熱ローラ８１を加熱させ得る。即ち供給電力の変更を機敏になし得る構成である。
【００６０】
加圧ローラ８４は、鉄棒８５の外周面に肉厚略５ｍｍのソリッドゴム、即ち耐熱性シリコンゴムからなる弾性層を形成し、その周囲をＰＦＡ（テトラフルオロエチレン・パーフルオロアルキルビニルエーテル共重合体）のチューブを被服した構成の、例えば、外径４０ｍｍのローラでる。
【００６１】
該両端に突き出ている鉄棒８５には、長手方向両サイドに不図示の揺動可能なレバーが配設され、このレバーに設けたバネ部材を介して加圧ローラ８４を加熱ローラ８１に対して接離可能な構成である。圧接時、ニップ圧力はロール全長に対して略６００Ｎにしてある。
【００６２】
用紙Ｓは矢視方向に搬送されて加圧・加熱定着される。
図３（ｂ）に示すように、ベルト型の誘導加熱定着装置８０Ａの構成は、共に回転可能な加熱部材である加熱ローラ８１Ａと加圧部材である上加圧ローラ８４Ａと、両ローラに対して掛け回される定着ベルト８６Ａと、上加圧ローラ８４Ａに対して該定着ベルト８６Ａを介して対向するもう一つの加圧部材である下加圧ローラ８５Ａと、加熱ローラ８１Ａの内側に該加熱ローラ８１Ａに供給する磁束を発生させる誘導コイル８３Ａと、誘導コイル８３Ａを支持する支持部材８２Ａとからなる。
【００６３】
加熱ローラ８１Ａと上加圧ローラ８４Ａとは、両ローラの長手方向の両端を挟んで、且つ軸線に対して垂直な不図示の２枚のフレームで回転可能に支持されていて、支持部材８２Ａは固定される構成である。加熱ローラ８１Ａ表面には表面温度を検知する温度検知手段８７Ａが配設されている。
【００６４】
実施の形態において、定着ベルト８６Ａは、内側の金属層と外側層の２層で構成され、該外側層は、耐熱性のシリコンゴムがコーティングされたものである。
【００６５】
該定着ベルト８６Ａは、誘導加熱された加熱ローラ８１Ａの表面からの熱を金属層の接触を介して加熱される構成である。
【００６６】
加熱ローラ８１Ａ、上加圧ローラ８４Ａ、下加圧ローラ８５Ａは、図３（ａ）の実施例で説明したローラ構成と機能とが、ぼぼ同じである。
【００６７】
下加圧ローラ８５Ａの場合も、加圧ローラ８４と同様に、両端に突出している鉄棒８５Ａ１には長手方向両サイドに不図示の揺動可能なレバーが配設され、該レバーに設けたバネ部材を介して下加圧ローラ８５Ａを上加圧ローラ８４Ａに対して接離可能な構成である。上加圧ローラ８４Ａと下加圧ローラ８５Ａとは、用紙Ｓと用紙上のトナーを狭持するニップを形成する。圧接時のニップ圧力は略６００Ｎに設定してある。用紙Ｓは、矢視方向に上流側の画像形成部ＧＫから搬送されて両ローラにて加圧・加熱定着される。
【００６８】
図３（ｃ）に示すように、ベルト型のもう一つの誘導加熱定着装置８０Ｂの構成は、熱伝導率と低熱容量を向上させた加熱部材である薄いエンドレスベルトの定着フィルム８１Ｂと、棒状の支持部材８２Ｂに支持された誘導コイル８３Ｂと、固定されている皿形状のベルトガイド部材８４Ｂと、定着フイルム８１Ｂの駆動部材で共に回転する駆動ローラ８５Ｂとテンションローラ８６Ｂと、加圧部材である加圧ローラ８７Ｂとからなる。
【００６９】
該定着フイルム８１Ｂは、駆動ローラ８５Ｂとテンションローラ８６Ｂとベルトガイド部材８４Ｂに掛け回され、該テンションローラ８６Ｂで張架された状態で、図示しない駆動手段により矢印方向に駆動回転される。
【００７０】
該ベルトガイド部材８４Ｂは、例えば、導電性の樹脂材で構成されている。駆動ローラ８５Ｂとテンションローラ８６Ｂの表面は共にシリコンゴム等の紙粉を吸収し易い材質で構成されている。
【００７１】
実施の形態は、図３（ａ）、図３（ｂ）に準ずる構成である。
図３（ａ）〜図３（ｃ）では、誘導コイルが加熱部材の内側（加熱部材と対向する位置の一つ）に配設されているが、それに限定されるものではなく、外側に配設することも可能である。
【００７２】
図６は、画像形成装置の電気構成を示すブロック図である。
ＣＰＵ（Ｃｅｎｔｏｒａｌ  Ｐｒｏｃｅｓｓｉｎｇ  Ｕｎｉｔ）からなる制御手段９０は、各種の入力手段を有する操作部９と、定着電力テーブルその他のプログラムを有するＲＯＭ（Ｒｅａｄ  Ｏｎｌｙ  Ｍｅｍｏｒｙ）１１０、ファンの動作状態のデータ、画像データ、コピー枚数データ等をストアするＲＡＭ（Ｒａｎｄｏｍ  Ａｃｃｅｓｓ）１２０、冷却手段としてのファンＦＭ１，ＦＭ２，ＦＭ４，ＦＭ５，ＦＭ６，ＦＭ９，ＦＭ１１，ＦＭ１２、ガス等（や塵埃）の除去手段としてのファンＦＭ７，ＦＭ８、用紙搬送手段７ＢとしてのファンＦＭ３、各手段に埋め込まれている温度検知手段（例、クリーニング手段の場合、Ｔ１）、用紙後処理装置ＦＳとの通信手段１０１，画像形成部ＧＫ、画像読取部Ｂ、用紙反転手段７Ｅを含む用紙搬送手段１０７、給紙トレイ７Ａ、定着手段８、自動原稿搬送装置Ｇ及び高周波電源ＨＦ等を制御する。
【００７３】
該ＣＰＵは、ＲＯＭ１１０に記憶されている定着電力テーブル（図５参照）等のプログラムやＲＡＭに記憶される情報を読み取り、データの処理や演算を行い、各手段と制御信号を送受信する機能を有している。
【００７４】
図７は、従来の画像形成装置の画像形成時のファン制御のフローチャートである。
【００７５】
画像形成を開始すると、画像形成装置内に配設されている全てのファンが作動する（ＳＴ２０）。
【００７６】
次いで、用紙に画像形成がなされる（ＳＴ２１）。コピーする枚数がまだあれば（ＳＴ２２でＹＥＳ）ステップバックしてＳＴ２１に行き、画像形成が繰りかえされ、コピーする枚数が無くなれば画像形成を終了する（ＳＴ２３）。
【００７７】
斯様にファンの動作状態について、認識或いは管理がなされず放置状態にしているのが従来技術である。
【００７８】
図４は、本発明に係わるファン制御、電力制御のフローチャートである。
画像形成動作を開始すると、誘導コイル８３，８３Ａ，又は８３Ｂへの電力切り換え処理のためのフラッグをたて（ＳＴ１）、画像形成装内に配設されている全てのファンの内の必要なもののみが作動する（ＳＴ２）。例えば、クリーナファンＦＭ１１や現像部ファンＦＭ１２はコピー開始当初は、クリーニング手段６、現像手段４は温度が上昇していないので、例えば約３分は停止させておく。
【００７９】
次いで、認識手段としてのＲＡＭ１２０にストアされているファンの動作状態のデータを認識し（ＳＴ３）、このデータにより認識手段としてのＲＯＭ１１０にプログラム化されている図５の定着電力テーブル（後記する）に従って高周波電源ＨＦの電力を切り換え、誘導コイル８３，８３Ａ，又は８３Ｂへの供給電力量供給を決定し（ＳＴ４）、供給電力の制御がなされる。コピーする枚数があれば実行し（ＳＴ５でＹＥＳ）、コピー枚数がある回数だけ、ステップバックして、ＳＴ３へ進み、コピー枚数が無くなれば電力切り換え処理のフラッグを下げ（ＳＴ６）、画像形成を終了する（ＳＴ７）。
【００８０】
図５は、本発明に係わる供給電力を決定するための定着電力テーブルである。図に示すように、各ファンの動作状態を◯、×で表示し、前者をファンの駆動状態、後者をファンの停止状態を示している。右欄には、コピー運転状態で高周波電源ＨＦから定着電力として供給できる電力を示している。
【００８１】
各ファンの動作状態は予め設定してある（符号ａ〜ｂの様に）。即ち各ファンの配設されている近傍の像露光手段３、現像手段４、クリーニング手段６等には、温度を検知する温度検知手段が埋め込まれていて（クリーニング手段６の温度検知手段Ｔ１、現像手段４の温度検知手段Ｔ２のように）、画像形成を行い、配設されている像露光手段３、現像手段４、クリーニング手段６等の温度が除々に上昇してきて所定温度になったことを前記各温度検知手段が検知すると、対応する手段のファンを駆動し冷却をする構成である。
【００８２】
該所定温度は、過去の実績データに基づいて決めてあって、そのデータにより各ファンの駆動・停止を実行するために定着電力テーブルを作成しＲＯＭ１１０にプログラム化してある。
【００８３】
この定着電力テーブルは、各手段に使われる駆動モータ、ソレノイド、回路の見直し、制御部品の見直しに等により、定着手段に供給できる定着電力を作りだしてバージョンアップも可能である。
【００８４】
【発明の効果】
本発明により、一定の制限のある商用電源からの電力供給に対して、画像形成装置内の各部位に温度上昇防止等のために配設してある多数のファンの動作状態に応じて生み出した電力を定着装置へ大きく、しかも素早く振り分けることの出来る画像形成装置を提供するこができた。
【図面の簡単な説明】
【図１】用紙後処理装置を有する画像形成装置の全体構成図である。
【図２】画像形成部の周囲に配置したファンの位置を模式的に示す図である。
【図３】誘導コイルを有する誘導加熱定着装置の構成を模式的に示す図である。
【図４】本発明に係わるファン制御、電力制御のフローチャートである。
【図５】本発明に係わる供給電力を決定するための定着電力テーブルである。
【図６】画像形成装置の電気構成を示すブロック図である。
【図７】従来の画像形成装置の画像形成時のファン制御のフローチャートである。
【符号の説明】
Ｓ  用紙
４  現像手段
６  クリーニング手段
Ｇｅ  原稿
１１０  ＲＯＭ
１２０  ＲＡＭ
ＦＭ１〜ＦＭ１２  ファン
８１，８１Ａ  加熱ローラ
８３，８３Ａ，８３Ｂ  誘導コイル
ＨＦ  高周波電源
【図１】
2005031410.tif 000003
【図２】
2005031410.tif 000004
【図３】
2005031410.tif 000005
【図４】
2005031410.tif 000006
【図５】
2005031410.tif 000007
【図６】
2005031410.tif 000008
【図７】
2005031410.tif 000009